(57)【特許請求の範囲】
【請求項１】
水を収容する生成容器と、
前記生成容器内に配置される電極ユニットと、を備え、
前記電極ユニットは、電解質液を収容する電解質液室と前記電解質液室に電解質液を導く電解質液導入路とを有する中間フレームと、電極が設けられているとともに前記生成容器内に連通する生成室と、前記電解質液室と生成室との間を仕切る透水性を有する隔膜と、を備え、
前記中間フレームは、前記生成容器内の水面および前記生成室よりも高い位置まで上方に延出する上端部を有し、前記電解質液導入路は、前記電解質液室から前記上端部を通って前記中間フレームの上端まで延びている電解水生成装置。
【請求項２】
前記電極ユニットは、電極が設けられ水が充填される第２生成室と、前記電解質液室と第２生成室との間を仕切る透水性を有する隔膜と、を更に備えている請求項１に記載の電解水生成装置。
【請求項３】
前記隔膜は、１ＭＰａの圧力で１分あたり１ｃｍ２あたりに０．０６〜６００ｍｌの透水性を有する多孔質膜で形成されている請求項１に記載の電解水生成装置。
【請求項４】
前記生成容器は、上端縁を有し、前記中間フレームの前記上端部は、前記生成容器の上端縁を越えて上方へ突出し、前記電解室液導入路は、電解質液が充填され前記生成容器内の水面よりも高い位置に前記電解質液の液面を形成する請求項１ないし３のいずれか１項に記載の電解水生成装置。
【請求項５】
前記電解質液導入路の断面積は、前記電解質液室の断面積よりも小さい請求項１ないし３のいずれか１項に記載の電解水生成装置。
【請求項６】
前記生成容器は、前記電極ユニットの生成室よりも高く前記電解質液の水面よりも低い位置を示す目盛りを有している請求項１ないし３のいずれか１項に記載の電解水生成装置。
【請求項７】
水を収容する生成容器と、
前記生成容器内に配置される電極ユニットと、を備え、
前記電極ユニットは、電解質液を収容する電解質液室と、電極が設けられているとともに前記生成容器内に連通する生成室と、前記電解質液室と生成室との間を仕切る透水性を有する隔膜と、前記電解質液室から前記生成容器内の水面および前記生成室よりも高い位置まで延出した電解質液導入路であって、電解質液が充填され前記生成容器内の水面よりも高い位置に前記電解質液の液面を形成する電解質液導入路と、前記電解質液室および前記電解質液導入路を有する中間フレームと、を具備し、
前記生成容器は、上端縁を有し、前記中間フレームは、前記生成容器の上端縁を越えて上方へ突出した上端部を有し、前記電解質液導入路は、前記上端部まで延びて、前記中間フレームの上端に開口している電解水生成装置。
【請求項８】
電解質液を収容する電解質液室と前記電解質液室に電解質液を導く電解質液導入路とを有する中間フレームと、
電極が設けられているとともに外部に連通する生成室と、
前記電解質液室と前記生成室との間を仕切る透水性を有する隔膜と、を備え、
前記中間フレームは、前記生成室よりも高い位置まで上方に延出する上端部を有し、前記電解質液導入路は、前記電解質液室から前記上端部を通って前記中間フレームの上端まで延びている電極ユニット。
【請求項９】
電極が設けられ水が充填される第２生成室と、前記電解質液室と第２生成室との間を仕切る透水性を有する隔膜と、を更に備えている請求項８に記載の電極ユニット。
【請求項１０】
前記隔膜は、１ＭＰａの圧力で１分あたり１ｃｍ２あたりに０．０６〜６００ｍｌの透水性を有する多孔質膜で形成されている請求項８又は９に記載の電極ユニット。
【請求項１１】
水を収容する生成容器と、前記生成容器内に配置される電極ユニットであって、電極が設けられているとともに前記生成容器内に連通する電解水生成室と、電解質液室とこの電解質液室から前記電解水生成室よりも高い位置まで上方に延びる導入路とを有する中間フレームと、これら電解水生成室と電解質液室との間を仕切る透水性を有する隔膜と、を具備する電極ユニットと、を備えた電解水生成装置により電解水を生成する電解水生成方法であって、
前記電極ユニットが配置された前記生成容器内に水を収容し、前記電極ユニットの電解水生成室を水で満たすとともに前記生成容器内に所定高さの水面を形成し、
前記電解質液室に前記導入路を通して電解質液を注入し、前記電解質液室および前記導入路を前記電解質液で満たし、前記生成容器内の水面よりも高い位置に前記電解質液の液面を形成し、
前記電極に通電して前記電解質液を電解し、前記電解水生成室内で電解水を生成する電解水生成方法。
【請求項１２】
前記水面と液面との高さの差により、前記電解質液室内の電解質液に水頭圧を印加する請求項１１に記載の電解水生成方法。
【発明の詳細な説明】
【技術分野】
【０００１】
ここで述べる実施形態は、電解水生成装置、電極ユニット、および電解水生成方法に関する。
【背景技術】
【０００２】
水を電解して得られる様々な機能を有したものには、次亜塩素酸水、アルカリイオン水、水素水などがあり、電解水と呼ばれている。電解水の生成方法としては、例えば、塩素を含む電解液を電解することにより陽極で塩素ガスを生成し、この塩素ガスと水を反応させて次亜塩素酸水と塩酸水を生成する方法が知られている。次亜塩素酸水の利用法としては、殺菌消毒、除臭などが知られている。【０００３】
このような次亜塩素酸水を生成する電解水生成装置としては、１隔膜２室型の電解槽や、２隔膜３室型の電解槽に電解質液および水を流水して電解水を生成する流水式の装置が提案されている。また、給排水に係る配管を持たず比較的簡素な構造の電解水生成装置として、水を収容した容器に陽極および陰極を有する電極ユニットを投入し、この容器内の水を電解する静水式（バッチ式）の電解水生成装置が提案されている。【０００４】
電解水として例えば次亜塩素酸水を生成する電解水生成装置においては、生成される次亜塩素酸の濃度が重要となる。次亜塩素酸は、供給される電流量を上限として生成されるが、通常、この電流は酸素の生成にも使用されてしまうため、生成される次亜塩素酸の量はこの上限値よりも小さい値となってしまう。すなわち、この上限値を１００％とした次亜塩素酸の生成効率は、通常、１００％よりも小さい値となってしまう。【０００５】
さらに、上述した静水式（バッチ式）の生成装置においては、次亜塩素酸の生成効率が流水式の生成装置に比べ低いという問題がある。理由は供給される塩素濃度の違いであり、常に新鮮な電解質が供給される流水式に比べ、静水式（バッチ式）は供給される塩素の量が欠乏するため、次亜塩素酸の生成効率が低いという問題がある。
【先行技術文献】
【特許文献】
【０００６】
【特許文献１】特許第３２８７６４９号公報
【特許文献２】特許第３５００１７３号公報
【特許文献３】特許第３５１８７７９号公報
【特許文献４】特開２００８−２６４７４４号公報
【特許文献５】特開２００３−３４８８９号公報
【特許文献６】特許第３５５１２８８号公報
【特許文献７】特許第４０２４２７８号公報
【特許文献８】特許第３７９８４８６号公報
【発明の概要】
【発明が解決しようとする課題】
【０００７】
実施形態の課題は、電解水の生成効率が向上した電解水生成装置、電極ユニット、および電解水生成方法を提供することにある。
【課題を解決するための手段】
【０００８】
実施形態によれば、電解水生成装置は、水を収容する生成容器と、前記生成容器内に配置される電極ユニットと、を備えている。前記電極ユニットは、電解質液を収容する電解質液室と前記電解質液室に電解質液を導く電解質液導入路とを有する中間フレームと、電極が設けられているとともに前記生成容器内に連通する生成室と、前記電解質液室と生成室との間を仕切る透水性を有する隔膜と、を備えている。前記中間フレームは、前記生成容器内の水面および前記生成室よりも高い位置まで上方に延出する上端部を有し、前記電解質液導入路は、前記電解質液室から前記上端部を通って前記中間フレームの上端まで延びている。
【図面の簡単な説明】
【０００９】
【図１】図１は、第１の実施形態に係る電解水生成装置の断面図。
【図２】図２は、第１の実施形態に係る電解水生成装置の電極ユニットを示す斜視図。
【図３】図３は、前記電極ユニットの分解斜視図。
【図４】図４は、前記電極ユニットを異なる方向から見た分解斜視図。
【図５】図５は、水頭差と生成効率との関係を示す図。
【図６】図６は、第２の実施形態に係る電解水生成装置の断面図。
【発明を実施するための形態】
【００１０】
以下に、図面を参照しながら、種々の実施形態について説明する。なお、実施形態を通して共通の構成には同一の符号を付すものとし、重複する説明は省略する。また、各図は実施形態とその理解を促すための模式図であり、その形状や寸法、比などは実際の装置と異なる個所があるが、これらは以下の説明と公知の技術を参酌して適宜、設計変更することができる。
【００１１】
（第１の実施形態）  
図１は、第１の実施形態に係る電解水生成装置の断面図である。本実施形態において、電解水生成装置１０は、例えば、１．２Ｌの中性次亜塩素酸を生成する静水式あるいはバッチ式の電解水生成装置として構成されている。電解水生成装置１０は、水等の液体を収容する生成容器（水槽）１２と、生成容器１２の上端開口に脱着自在に装着され、この上端開口を閉塞した蓋体１４と、蓋体１４に支持され生成容器１２内に配置される電極ユニット１６と、この電極ユニット１６の電極に電解電力を供給する給電部１８と、を備えている。蓋体１４は、生成容器１２内に液体を注入あるいは排水するための注排出口１５を有している。給電部１８は、図示しない直流電源に接続されている。
【００１２】
生成容器１２は、例えば、ホウケイ酸ガラスや塩化ビニールやポリプレンやポリエチレンなどの耐酸性、耐アルカリ性に優れたガラスや樹脂により形成され、円錐台状に形成されている。生成容器１２は、上端縁１２ａを有し、また、生成容器の周壁には、収容する液体の量を示す複数の目盛り１２ｂが形成されている。これらの目盛り１２ｂは、生成容器１２内に収容される水の水面ＷＦが最適な高さとなる目安として設けられている。    蓋体１４は、例えば、塩化ビニールやポリプレンやポリエチレンなどの耐酸性、耐アルカリ性に優れた樹脂により形成され、扁平な円形状に形成されている。
【００１３】
図２は、電極ユニットを示す斜視図、図３および図４は、電極ユニットの分解斜視図である。図１ないし図４に示すように、電極ユニット１６は、細長い角柱形状の中間筐体（中間フレーム）２０および陰極側筐体３０、および細長い矩形箱状の撹拌ケース４０を有している。中間筐体２０の両側に陰極側筐体３０および撹拌ケース４０が接合されている。
【００１４】
中間筐体２０は、その下半部に、電解質液として例えば飽和塩水を収容する矩形状の中間室（電解質液室）２２を有している。この中間室２２は、中間筐体２０の両側面２１ａ、２１ｂに開口している。また、中間筐体２０は、上端に形成され電解質液を注入するための注入口２４および排気口２５と、この注入口２４と中間室２２を連通する導入路２６と、排気口２５と中間室２２を連通する排気路２７と、を有している。すなわち、導入路２６は、中間室２２から中間筐体２０の上端まで延びて、生成容器１２内に収容される水の水面ＷＦよりも高い位置まで延出している。導入路２６の横断面積は、中間室２２の横断面積よりも小さく形成されている。注入口２４から導入路２６を通して中間室２２および導入路２６に電解質液を充填することができる。電解質液を注入する際、中間室２２内の空気は排気路２７および排気口２５を通して外部に排気される。
【００１５】
中間室２２の一方の開口を塞ぐように矩形状の第１隔膜５０ａが設けられ、中間室２２の他方の開口を塞ぐように矩形状の第２隔膜５０ｂが設けられている。第１隔膜５０ａに重ねて、矩形板状の陰極（電極）５２が設けられている。陰極５２の中間室２２と対向する領域は、反応有効領域を形成している。陰極５２は接続端子５２ａを有し、この接続端子５２ａは、陰極５２から中間筐体２０の上端近傍まで延出している。
【００１６】
第２隔膜５０ｂに重ねて、矩形板状の陽極（電極）５４が設けられている。陽極５４は、中間室２２および第１、第２隔膜５０ａ、５０ｂを挟んで陰極５２に対向配置されている。陽極５４の中間室２２と対向する領域は、反応有効領域を形成している。陽極５４は接続端子５４ａを有し、この接続端子５４ａは、陽極５４から中間筐体２０の上端近傍まで延出している。
【００１７】
第１隔膜５０ａおよび第２隔膜５０ｂは、膜厚が約１００〜２００μｍ程度の薄い矩形平板状に形成された透水性を有する多孔質膜を用いている。第１隔膜５０ａは、中間筐体２０の側面２１ａに対向して配置され、その周縁部は中間筐体２０に密着している。同様に、第２隔膜５０ｂは、中間筐体２０の他方の側面２１ｂに対向して配置され、その周縁部は中間筐体２０に密着している。
【００１８】
第１隔膜５０ａおよび第２隔膜５０ｂは、透水性を制御することで陽極５４および陰極５２の周囲に十分な電解質を供給し、陽極５４における酸素ガス生成を抑制し、塩素ガスを効率よく生成する構成としている。本実施形態において、第１隔膜５０ａおよび第２隔膜５０ｂは、それぞれ透水性を有する隔膜である。例えば、第１隔膜５０ａおよび第２隔膜５０ｂは、それぞれ、透水性の精密ろ過膜(Microfiltration Membrane : MF膜)や限外ろ過膜（Ultrafiltration Membrane : UF膜）等の多孔質膜を用いている。第１隔膜５０ａおよび第２隔膜５０ｂは、例えば、１ＭＰａの水圧が印加された場合に１ｃｍ２（平方センチメートル）当たり０．０６〜６００ｍＬ／分の透水性を有する限外ろ過膜あるいは精密ろ過膜で形成されている。第１隔膜５０ａおよび第２隔膜５０ｂは、それぞれ、例えば、酸化チタンおよびポリフッ化ビニリデン（PolyVinylidene DiFuoride：PVDF）を含む素材で形成されている。
【００１９】
陰極５２および陽極５４は、厚さ１ｍｍ程度の金属製の平板で略矩形状に形成されている。陰極５２および陽極５４の中央部（有効反応領域）には液体を通過させるための微細な貫通孔（図示せず）が形成されている。陰極５２は、第１隔膜５０ａに対向して配置され、第１隔膜５０ａに密着している。陽極５４は、第２隔膜５０ｂに対向して配置され、第２隔膜５０ｂに密着している。
【００２０】
図１ないし図４に示すように、陰極側筐体３０は、中間筐体２０の陰極５２側の側面２１ａに対向して、中間筐体２０とほぼ平行に接合されている。陰極側筐体３０は、その下半部に形成された凹部により規定された陰極室（第２生成室）３２を有している。この陰極室３２は、陰極５２と対向する面が開口し、陰極５２の全領域に接している。陰極室３２の他の面は陰極側筐体３０の壁部により閉じられている。これにより、陰極５２は、陰極室３２内に設けられている。また、陰極側筐体３０は、上端に形成された注入口３４と、この注入口３４と陰極室３２を連通する流通路３５と、を有している。注入口３４から流通路３５を通して陰極室３２内に水を充填することができる。
【００２１】
図１ないし図４に示すように、撹拌ケース４０は、矩形箱状に形成され、陽極５４を覆うように中間筐体２０の側面２１ｂに接合されている。撹拌ケース４０は、陽極５４に隙間を置いて対向する矩形状の対向壁４１ａと、対向壁の両側縁に沿って立設されているとともに中間筐体２０に接合される一対の側壁４１ｂ、４１ｃと、これら対向壁４１ａおよび側壁４１ｂ、４１ｃにより規定され陽極５４の反応領域に接する撹拌室（第１生成室、陽極室）４４と、を有している。これにより、陽極５４は、撹拌室４４内に設けられている。また、撹拌ケース４０は、撹拌室４４内に配置された複数の隔壁（フィン）４６を有している。複数の隔壁４６は、それぞれほぼ水平に延在し、撹拌ケース４０の長手方向（高さ方向）に間隔をおいて設けられている。更に、対向壁４１ａの内面に鉛直方向に延びる中央リブ４５が立設され、この中央リブ４５は複数の隔壁４６に亘って延在している。撹拌室４４は、複数の隔壁４６および中央リブ４５により、撹拌ケース４０の長手方向に並ぶ複数の室に仕切られ、各室は陽極５４に接している。複数の室は、それぞれ対向壁４１ａに形成された複数の連通孔４７を通して外部に連通あるいは開放している。更に、撹拌ケース４０の下端および上端は開放し、排水口４８ａ、取水口４８ｂをそれぞれ形成している。更に、各側壁４１ａ、４１ｂのほぼ全体が開口し、撹拌室４４に連通する取水口４９を形成している。これらの取水口４８ｂ、４９を通して外部（生成容器１２内）から撹拌室４４に水を取り入れ、連通孔４７および排水口４８ａから生成容器１２内へ抜けるようにしている。
【００２２】
上述した電極ユニット１６の中間筐体２０、陰極側筐体３０、および撹拌ケース４０は、例えば、塩化ビニールやポリプレンやポリエチレンなどの耐酸性、耐アルカリ性に優れた樹脂によりそれぞれ形成される。
【００２３】
上記のように構成された電極ユニット１６は、図１に示すように、蓋体１４に支持され、蓋体１４から生成容器１２内に垂下している。中間筐体２０の上端部および陰極側筐体３０の上端部は、蓋体１４に嵌合され、かつ、蓋体１４を貫通して外側に突出している。すなわち、中間筐体２０の導入路２６および排気路２７は、生成容器１２の上端縁１２ａよも高い位置まで延出している。中間筐体２０の大部分、陰極側筐体３０の大部分、および撹拌ケース４０は、蓋体１４から下方に延出し、生成容器１２内部に配置されている。陰極５２の接続端子５２ａおよび陽極５４の接続端子５４ａは、それぞれ配線６０を介して給電部１８に接続されている。
【００２４】
撹拌室４４は、中間室２２や陰極室３２と異なり、密閉された構造とはなっていないため、すなわち、生成容器１２内に開放した構造となっているため、電極ユニット１６の撹拌室４４も含めた生成容器１２全体が大きな陽極室を成している。従って、電解水生成装置１０は、装置全体としては、中間室２２、陰極室３２および陽極室４４（１２）を有する２隔膜３室型の構造を有している。
【００２５】
次に、上記のように構成された電解水生成装置１０により、塩水を電解して酸性水（次亜塩素酸水および塩酸）とアルカリ性水（水酸化ナトリウム）を生成する動作について説明する。  
まず、図１に示したように、注排出口１５を通して生成容器１２内に水を入れ、生成容器１２内に水を収容する。注入された水の一部は、撹拌ケース４０の連通孔４７および取水口４８ａ、４９を通して撹拌室４４に浸入し、撹拌室４４が水で満たされる。注水の際、目盛り１２ｂを目安として、水面ＷＦの高さが目盛り１２ｂとほぼ一致するように、水の注入量を調整する。本実施形態では、目盛り１２ｂの高さまで水を入れることにより、水面ＷＦは、撹拌室４４以上で生成容器１２の上端縁１２ａよりも低い位置に形成される。
【００２６】
また、注入口３４から陰極室３２に水を注入し、陰極室３２を水で満たす。この際、陰極室３２内の水の水面は、陰極５２よりも高くかつ、生成容器１２内の水の水面ＷＦ以下に設定することが望ましい。更に、注入口２４から塩水（電解質液）を注入し、中間室２２および導入路２６の大部分を塩水で満たす。この際、塩水の水面（液面）ＣＦが、導入路２６内で、生成容器１２の上端縁１２ａよりも高い位置、すなわち、水面ＷＦよりも高い位置に形成されるように、塩水を所定量、注入する。これにより、生成容器１２内の水の水面ＷＦと塩水の水面との差（水頭差）Ｄ、例えば、１００ｍｍが生じる。従って、この水頭差に対応する水頭圧が、中間室２２内の塩水に印加される。
【００２７】
以上の状態で、給電部１８から陰極５２および陽極５４に負電圧および正電圧をそれぞれ供給し、電解反応により、中間室２２内の塩水を電解する。中間室２２の塩水中において電離しているナトリウムイオンは、陰極５２に引き寄せられ、第１隔膜５０ａを通過して陰極室３２へ流入する。陰極室３２において、陰極５２により水が電気分解されて水素ガスを生成し、この水素ガスとナトリウムイオンとにより水酸化ナトリウム水溶液（アルカリ性水）を生成する。
【００２８】
中間室２２内の塩水中に電離している塩素イオンは、陽極５４に引き寄せられ、第２隔膜５０ｂを通過して、撹拌室（陽極室、生成室）４４へ流入する。撹拌室４４では、塩素イオンが陽極５４に電子を与えて塩素ガスを生成する。生成した塩素ガスを撹拌室４４で水に溶かして、生成容器１２に貯められた水から酸性水（次亜塩素酸水および塩酸）を生成する。このようにして生成された酸性水は、撹拌室４４から連通孔４７を通って生成容器１２内の水に供給される。この際、撹拌室４４内に設けられた複数の隔壁（フィン）４６は、陽極側電解生成物が生成容器１２に撹拌するのを補助するとともに、中間室２２から第２隔膜５０ｂを介して撹拌室４４内に拡散する電解質の濃度を一時的に電極周囲で高める役割を担っている。また、生成容器１２内の水は、随時、撹拌室４４内に取り込まれ、酸性水となって生成容器１２内の水に混合される。これにより、生成容器１２内に所望のｐＨの次亜塩素酸水が生成される。
【００２９】
生成された次亜塩素酸水は、生成容器１２の注排出口１５から任意の容器、コップ、その他のところへ注ぐことができる。また、陰極室３２で生成されたアルカリ性水は、注入口３４から排出して、適宜、利用することが可能である。
【００３０】
上述した電解水生成装置１０および電解水生成方法においては、生成容器１２内の水の水面ＷＦと電解質液（塩水）の液面ＣＦとに水頭差Ｄを設定し、この水頭差Ｄにより中間室２２内の塩水に水頭圧を印加している。そして、このような水頭圧を印加することにより、次亜塩素酸の生成効率を高めることができる。以下に説明する。
【００３１】
図５は、電解質液の水位と酸性水（陽極水）の水位との差（水頭差）Ｄと次亜塩素酸の生成効率との関係を示している。図５から分かるように、水頭差Ｄが大きくなると、次亜塩素酸の生成効率がほぼリニアに上昇する。次亜塩素酸の生成効率は、水頭差Ｄを１００ｍｍとすると、水頭差がゼロの場合に比較して、略１０％向上することがわかる。水頭差Ｄをつけることで水頭圧が発生し、中間室２２に貯められている電解質液（塩水）に大きな圧力が作用する。この結果、ナトリウムイオンや塩素イオンが第１隔膜５０ａおよび第２隔膜５０ｂを介して陰極室３２および撹拌室４４にしみ出し易い状態となり、供給されるイオンの量が増えるためである。
【００３２】
本実施形態においては、上述したように、電極ユニット１６は、中間室２２から生成容器１２の上端縁１２ａよりも上方まで延出する導入路２６を有し、電解質液を中間室２２および導入路２６の上端部まで満たし、上端縁１２ａよりも高い位置に液面ＣＦを形成している。また、生成容器１２内の水（陽極水）は、陰極室３２および撹拌室４４の上部までしか満たされておらず、水面ＷＦは、生成容器１２の上端縁１２ａよりも低い位置に形成されている。これにより、電解質液（塩水）の液面ＣＦは酸性水の水面ＷＦに比べ高くなっており、その差（水頭差）Ｄは略１００ｍｍとなっている。従って、この水頭差（水頭圧）Ｄの効果により、次亜塩素酸水の生成効率を略１０％向上することができる。    以上のことから、本実施形態によれば、電解水の生成効率が向上した電解水生成装置、電極ユニット、および電解水生成方法を提供することができる。
【００３３】
次に、他の実施形態に係る電解水生成装置について説明する。なお、以下に説明する他の実施形態において、前述した第１の実施形態と同一の部分には、同一の参照符号を付してその詳細な説明を省略し、第１の実施形態と異なる部分を中心に詳しく説明する。
【００３４】
（第２の実施形態）  
図６は、第２の実施形態に係る電解水生成装置を示す断面図である。第２の実施形態によれば、電極ユニット１６は、１隔膜２室型の電極ユニットとして構成されている。すなわち、電極ユニット１６は、陰極室および陰極側筐体を省略し、中間室２２と陰極室（第２生成室）を一体化している。中間筐体２０は、中間室２２の片側、すなわち、陽極５４と反対側の側面を閉塞した側壁を有している。中間室２２内に陰極５２が配置され、第１隔膜５０ｂに対向、隣接している。中間室２２には、導入路２６を通して電解質液が注入され、この電解質液は、中間室２２および導入路２６の大部分を満たし、生成容器１２内の水の水面ＷＦよりも高い位置、更には、生成容器１２の上端縁１２ａよりも高い位置に液面ＣＦを形成する。  
第２の実施形態において、電解水生成装置１０の他の構成は、前述した第１の実施形態の電解水生成装置と同一である。
【００３５】
上記のように構成された第２の実施形態においても、電解質液の液面ＣＦを陽極水（生成容器内の水）の水面ＷＦよりも高く保持することで、上述した第１の実施形態と同様の作用効果を得ることができ、電解水の生成効率が向上した電解水生成装置を提供することができる。また、１隔膜２室型の電解水生成装置は、２隔膜３室型に比較して、電極ユニットの構造を簡素化できる利点がある。  
本発明は上述した実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、上述した実施形態では、電解質液を塩水、生成水を次亜塩素酸水としたが、これらに限定されることなく、本実施形態に係る電解水生成装置は、種々の電解質液および種々の生成水を適用することができる。生成容器は、上述した実施形態に限定されることなく、種々の容器、水槽、その他、水を貯められるものであれば適用することができる。
【００３６】
陰極および陽極は、矩形状に限定されることなく、他の種々の形状を選択可能である。上述した実施形態では、部材間をシールするシール材を用いていないが、部材間にシール材を形成する構成としても良い。この場合、シール性がより改善されるため、生成される電解水の純度を高く維持できる効果が期待できる。
【００３７】
上述した実施形態では、隔膜は、透水性を有する多孔質膜を用いたが、これに限らず、イオン選択性のあるイオン交換膜としてもよい。上述した実施形態では、隔膜を透過させたいのは陽極側では塩素イオン、陰極側ではナトリウムイオンであり、いずれもイオンであることから、イオン交換膜を用いることによりイオンを透過できる。ただし、イオン交換膜を用いる場合には、陽極側には陰イオン交換膜を、陰極側には陽イオン交換膜を用いる。
【要約】
実施形態によれば、電解水生成装置は、水を収容する生成容器１２と、生成容器内に配置される電極ユニット１６と、を備えている。電極ユニットは、電解質液を収容する電解質液室２２と、電極５４が設けられているとともに生成容器内に連通する生成室４４と、電解質液室と生成室との間を仕切る透水性を有する隔膜５０ｂと、電解質液室から、生成容器内の水の水面および前記生成室よりも高い位置まで延出した導入路２６であって、電解質液が充填され前記生成容器内の水面よりも高い位置に前記電解質液の液面を形成する導入路２６と、を備えている。【図１】
0006013644.tif 000002
【図２】
0006013644.tif 000003
【図３】
0006013644.tif 000004
【図４】
0006013644.tif 000005
【図５】
0006013644.tif 000006
【図６】
0006013644.tif 000007